Podtech/llm-jp-corpus-v4-ja_patent huggingface dataset:
(57)【要約】      （修正有）【課題】傘を差して自動車乗降時に広げた状態の傘をドアガラスに一時定着させることにより両手を自由に使うことを可能にしてこの空間を利用して人や荷物が濡れずに作業が行える自動車用傘ホルダーを提供する。【解決手段】傘の柄の上部の軸を嵌合固着する挟持部５を上部に備え傘の柄を受けるＯ字状握り受け部７を下部に備え着脱自在に挟着可能な固定具１を上端に有し下端にはドアガラスに固定される吸着具４とで構成する。【選択図】図１
0003155595.tif 000002
【実用新案登録請求の範囲】
【請求項１】
傘の柄の上部の軸を嵌合固着する挟持部（５）と傘の柄を受けるＯ字状握り受け部（７）と着脱自在に挟着可能な固定具（１）とドアガラスに固定される吸着具（４）とで構成されることを特徴とする自動車用傘ホルダー。
【請求項２】
前記ドアガラスに固定される吸着具（４）は吸盤であることを特徴とする、請求項１記載の自動車用傘ホルダー。
【考案の詳細な説明】
【技術分野】
【０００１】  本考案は傘を差して自動車を乗降する時、傘を広げた状態で自動車のドアガラスに一時的に保持させるものである。
【背景の技術】
【０００２】  自動車乗降時に使用する傘保持具は固定する際、保持具と傘を組み合わせてドアガラスに保持させるものインターサイクル社製ザ・アンブレラや保持具のネジやレバーを調節して高さや垂直性を保つ機能を有した保持具が提案されている。（特許文献１）
自動車用傘ホルダーについてのものは特許文献２に開示されている。
【０００３】
【先行技術文献】
【特許文献】
【特許文献１】特開平９−１５６４２６
【特許文献２】特開２００５−２１５４０
【考案の概要】
【考案が解決しようとする課題】
【０００４】  しかし、この技術では、雨降り時に自動車に乗降する時、福祉車輌で介護者が作業する時、又母親が子供を後部座席のチャイルドシートに乗せる時、車イスを利用している人が自分で運転する時、車イスを広げたり畳む時など、ザ・アンブレラや特許文献１では時間や手間がかかる。従って、本発明が、上記のような課題を解決すべく考案は自動車のドアガラスに保持具を装着させておけば、傘を片手で簡単に定着させることができ、両手で自由に作業が行なえる空間を提共することができる。
また、特許文献２に開示されている方法では固定が弱く、風が強いと倒れるという問題があった。
【課題を解決するための手段】
【０００５】  本考案はひとつの機種でさまざまな太さの傘の柄に対応できる保持具を提供する為傘の軸を簡単に固着する軸挟持部を上部に備え下部には傘の柄を受けるＯ字状握り受け部を備えている。又、ドアガラスに固定させる為、本体上端にガラスを挟む挟着固定具を備え下端にはドアガラスに固定させる吸着具を備えている。以上のことにより上記の課題を解決したものである。
【考案の効果】
【０００６】  保持具をドアガラス上端水平部分に挟み吸着具をガラスに固着させることにより保持具を確実に定着させることができる。【０００７】  傘の柄を保持具に取り付ける際、Ｏ字状握り受け部に乗せることによりさまざまな太さの柄を簡単また確実に保持する効果がある。【０００８】  さらに又、傘の軸の部分を軸挟持部に固着することにより力を使わずに簡単に装着する効果がある。【０００９】  保持具の垂直調整部を曲げることが容易な金属を使うことによりさまざまな角度のドアガラスに対応することができる。【００１０】  自動車のドアガラスに保持具を装着させておけば、傘を片手で簡単に定着させることができ両手で自由に作業が行なえる空間を提供することができる。
【考案を実施するための最良の形態】
【００１１】  本発明の傘ホルダーの取り付け方法はドアガラスを数ｃｍ程度開け本体上部の挟着固定具（１）をガラス上端水平部分に嵌めその後に吸着具（４）を取り付けてガラスを閉める。
挟持固定具の内側には、ガラスを保護する為ゴム板（２）が取り付けてある。【００１２】  傘の固定方法はドアを開け広げた状態の傘の柄の部分をＯ字状握り受け部（７）に乗せる感じで固定させる。【００１３】  その後傘の軸の部分をローラーキャッチを利用した軸挟持部（５）に嵌め込み最後に握り固定ベルト（６）で定着させる。【００１４】  挟着固定具（１）と軸挟持部（５）の間隔は、窓枠の厚み分余裕をみて３ｃｍ空けて接触しないよう製作してある。
【図面の簡単な説明】
【００１５】
【図１】  傘固定具の実施例を示す外観図である。
【図２】  実施例を示す側面図である。
【図３】  実施例を示す正面図である。
【図４】  細い柄（Ｂ１）と太い柄（Ｂ２）を固定したＯ字状握り受け部の側面図である。
【符号の説明】
【００１６】１．挟着固定具
２．ゴム板
３．垂直調整具
４．吸着具
５．軸挟持部
６．握り固定ベルト
７．Ｏ字状握り受け部
Ａ．傘の軸
Ｂ．傘の柄    Ｂ１  細い柄    Ｂ２  太い柄
Ｃ．ドアガラス
【図１】
0003155595.tif 000003
【図２】
0003155595.tif 000004
【図３】
0003155595.tif 000005
【図４】
0003155595.tif 000006
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
傘の柄の上部の軸を嵌合固着する挟持部（５）を上部に備え傘の柄を受けるＯ字状握り受け部（７）を下部に備え着脱自在に挟着可能な固定具（１）を上端に有し下端にはドアガラスに固定される吸着具（４）とで構成されることを特徴とする自動車用傘ホルダー。
【請求項２】
前記ドアガラスに固定される吸着具（４）は吸盤であることを特徴とする請求項１記載の自動車用傘ホルダー。
(57)【要約】      （修正有）【課題】白胡麻と黒胡麻を一体化することにより、両方を一遍に楽しめることが可能な菓子を提供する。【解決手段】砂糖を１４０〜１８０℃に加熱し、粘りが出てきた時点に白（或いは黒）胡麻を加え十分に混ぜ、白胡麻はパンダの顔の白い部分の形をした型にいれ、黒胡麻はパンダの顔の黒い部分の形をした型にいれ、成型する。冷却後白い部分を黒い部分に重ね複合菓子になる。【選択図】図１
0003155592.tif 000002
【実用新案登録請求の範囲】
【請求項１】
白胡麻と黒胡麻の組み合わせによりパンダの模様を表現することが特徴である。視覚効果及びパズルの方式のように分離と合体できることにより楽しめ、購買消費意欲を引き起こす。
【請求項２】
異なる色の可食物が別々に成形し、複数個のパーツとして組み合わせて、パンダ及びその他の動物、物体等の模様を再現する。それぞれ分離し、単独で食べられることが特徴である。
【考案の詳細な説明】
【技術分野】
【０００１】焼き菓子
【背景技術】
【０００２】今までの胡麻類のお菓子製品は白胡麻と黒胡麻は個々の商品として賞味していた。
【考案の概要】
【考案が解決しようとする課題】
【０００３】白胡麻と黒胡麻両方食べたい場合、両方を購入しなければならない。従い、白胡麻と黒胡麻を一体化することにより、両方を一遍に楽しめることが可能になり、前述の点を改善しようとするものである。
【課題を解決するための手段】
【０００４】白胡麻と黒胡麻の組み合わせによりパンダの模様を表現し、視覚効果及びパズルの方式のように分離と合体できることにより楽しめ、購買消費意欲を引き起こす。異なる色の可食物が別々に成形し、複数個のパーツとして組み合わせて、パンダ及びその他の動物、物体等の模様を再現する。それぞれ分離し、単独で食べられることが特徴である。
【図面の簡単な説明】
【０００５】
【図１】代表図面：黒胡麻で成型した身体に白胡麻で成型した顔の部分を重ね、組合せて完成。
【図２】白胡麻の部分
【図３】白胡麻の側面図
【図４】黒胡麻の部分
【図５】黒胡麻の側面図
【図１】
0003155592.tif 000003
【図２】
0003155592.tif 000004
【図３】
0003155592.tif 000005
【図４】
0003155592.tif 000006
【図５】
0003155592.tif 000007
【手続補正書】
【提出日】平成21年8月27日(2009.8.27)
【手続補正２】
【補正対象書類名】明細書
【補正対象項目名】０００１
【補正方法】変更
【補正の内容】
【０００１】本考案は従来の白胡麻菓子と黒胡麻菓子を組合せた菓子の形成に関するものである。
【手続補正３】
【補正対象書類名】明細書
【補正対象項目名】０００２
【補正方法】変更
【補正の内容】
【０００２】今までの胡麻類のお菓子製品は白胡麻菓子と黒胡麻菓子を両方食べたい場合、両方を購入、賞味しなければならない。また、従来、胡麻菓子の形状の変化が乏しい為、消費者の購買意欲、幼児の関心が顧みられなくなってきた。
【手続補正４】
【補正対象書類名】明細書
【補正対象項目名】０００３
【補正方法】変更
【補正の内容】
【０００３】胡麻菓子の多様化を図る為、白胡麻菓子と黒胡麻菓子を一体化することにより、両方を一遍に楽しめることが可能になり、パズルの方式のように分離と合体できることにより楽しめ、幼児の関心を惹きつけ、視覚効果及び消費者の購買消費意欲を引き起こし、前述の点を改善しようとするものである。
【手続補正５】
【補正対象書類名】明細書
【補正対象項目名】０００４
【補正方法】変更
【補正の内容】
【０００４】本考案は白胡麻菓子と黒胡麻菓子を複数のパーツに成型し、パズル方式に形成する。
【手続補正６】
【補正対象書類名】実用新案登録請求の範囲
【補正対象項目名】全文
【補正方法】変更
【補正の内容】
【実用新案登録請求の範囲】
【請求項１】
黒胡麻菓子と白胡麻菓子で成型した個々のパーツを組み合わせることによって、各部分が一体化となり、パンダの模様を表現できるほかに、その他の動物、物体の模様を完成し、それぞれ分離し、単独で食べられる、というように作られた、パズル方式に形成したことを特徴とする胡麻菓子。
(57)【要約】      （修正有）【課題】記録シートを透明材料で挟み込み保護するようにした設置表示パネル体を提供する。【解決手段】記録シート２を透明ブロック３と表示パネル４の一面に設けられた凹部の底部との間に挟み込み着脱可能に固定保護すると共に、透明ブロック３の断面の一部を凸形にすることによりレンズ効果を持たせ記録シートに書かれた文字等を鮮明かつ拡大して見ることができるようにして、安価で持ち運びが容易な設置表示パネル体を構成する。【選択図】図１
0003155516.tif 000002
【実用新案登録請求の範囲】
【請求項１】
記録シートと、該記録シートを表示パネルの一面に設けられた凹部の底部との間に挟み込み該記録シートを着脱可能に固定保護する透明ブロックと、前記表示パネルとから成る設置表示パネル体。
【請求項２】
前記表示パネルに前記凹部が複数個設けられている請求項１記載の設置表示パネル体。
【請求項３】
前記記録シートは、文字、図、絵、記号、表、その他を表示された紙、金属箔、発泡スチロール、合成樹脂等から成る請求項１または請求項２に記載の設置表示パネル体。
【請求項４】
前記透明ブロックは、合成樹脂、ガラス等の透明材料から成り、かつ、断面の一部をほぼ円柱状のものを長軸方向に２分割して断面が半円もしくはかまぼこ状の凸形となるようにした請求項１または請求項２に記載の設置表示パネル体。
【請求項５】
前記表示パネルは、金属、合成樹脂、木材、石材等の材料から成る請求項１または請求項２に記載の設置表示パネル体。
【考案の詳細な説明】
【技術分野】
【０００１】
本考案は、記録シートを透明材料で挟み込み保護するようにした設置表示パネル体に関するものである。
【背景技術】
【０００２】
従来の表示体としては、高価な発光パネル装置や電光掲示板やホワイトボードあるいは簡単に立て看板に印刷した紙を貼り付ける方法等がある。
【先行技術文献】
【特許文献】
【０００３】
【特許文献１】実用新案登録第３１５０３０４号公報（第３頁、図２）
【考案の概要】
【考案が解決しようとする課題】
【０００４】
ホテルや展示場等の中で行き先や各種の案内表示として、発光パネル装置や電光掲示板を用いるとよく見えるが、高価であり設置場所の変更にも手間がかかるので導入しにくいという欠点があった。またホワイトボードに書いたりや立て看板に印刷した紙を貼り付ける方法では安価であり移動させやすいが、記録内容の一部が消えたり記録を書いた紙が紛失したりするという欠点があった。そこで、記録を書いたシートを透明材料で表示パネルに挟み込むことで固定保護させることが可能となり前述の欠点を解決しようとするものである。
【課題を解決するための手段】
【０００５】
本考案では、記録シートを透明ブロックと表示パネルの一面に設けられた凹部の底部との間に挟み込み着脱可能に固定保護すると共に、透明ブロックの断面の一部を凸形にすることによりレンズ効果で記録シートに書かれた文字等を鮮明かつ拡大して見ることができるようにして問題点を解決している。
【考案の効果】
【０００６】
設置表示パネル体は、表示パネルに設けた凹部の底部に、断面の一部が凸形（ほぼ円柱状のものを長軸方向に２分割し、断面が半円もしくはかまぼこ状）の透明ブロックを介して記録シートを挟み込むことで、記録シートを汚れや劣化の防止から保護すると共に、記述、印刷された文字、図、絵、記号、表、その他を凸形によるレンズ効果により鮮明かつ拡大して見ることができる。また、必要に応じて記録シートを挟み込むための表示パネルの凹部を複数作製し種々の記録シートを保護して鮮明かつ拡大して見ることもできる。
【図面の簡単な説明】
【０００７】
【図１】本考案の設置表示パネル体の一実施例を示す正面図である。
【図２】透明ブロックの正面図である。
【考案を実施するための形態】
【０００８】
設置表示パネル体１は、記録シート２、透明ブロック３、表示パネル４の部品から構成されている。作製手順としては、透明ブロック３は合成樹脂、ガラス等の透明材料を使用し、切削加工、金型射出成型加工等で作製し、レンズ効果を持たせ記録シート２を拡大させるために断面の一部が凸形になるように仕上げる。記録シート２には文字、図、絵、記号、表、その他を記述及び印刷する。表示パネル４は、金属、合成樹脂、木材、石材等を使用し、切削加工、金型加工等で作製する。その際、表面に記録シート２を挟み込み、透明ブロック３をはめ込むための凹部を作る。なお、凹部の内形寸法（縦、横、深さ）は透明ブロック３の外形寸法（縦、横、高さ）より、例えば５／１００ｍｍ前後大きく作製して透明ブロック３をはめ込んだ際、着脱可能だが容易には脱落しないようにしてある。この寸法差は適宜変更できる。必要に応じて表示パネル４に複数の凹部を作製することができる。なお、表示パネル４に金属及び木材を使用する場合には、表面の劣化を防止する為に、鍍金、塗料等を施しても良い。
記録シート２、透明ブロック３、表示パネル４を組み立てる手順は、文字、図、絵、記号、表、その他を記述及び印刷した記録シート２を表示パネル４の凹部の底部に置き、透明ブロック３をはめ込み完了となる。
設置表示パネル体１の設置場所、設置向き等の条件により、必要に応じて転倒防止や位置固定を兼ねた支柱や支持体あるいは接続冶具５を設置表示パネル体１に取り付けることが可能である。
【符号の説明】
【０００９】
１  設置表示パネル体
２  記録シート
３  透明ブロック
４  表示パネル
５  支柱、支持体、接続冶具
【図１】
0003155516.tif 000003
【図２】
0003155516.tif 000004
(57)【要約】      （修正有）【課題】移動と同時に床面の清掃が行える車いすを提供する。【解決手段】車いすの座面裏側に連結具を介して清掃具を取付ける。【選択図】図１
0003155518.tif 000002
【実用新案登録請求の範囲】
【請求項１】
車いすの座面裏側に連結具を介して清掃具を取付けた事を特徴とする車いす。
【請求項２】
前記連結具は、長さ調整部と、第1の脱着部と、清掃部に急激な負荷が生じた場合、清掃部を切り離せる第2の脱着部とを備えた事を特徴とする請求項1記載の車いす。
【請求項３】
前記連結具は、第2の脱着部で清掃部を連結し、その反対側で、車いすの座面裏側に、両端が固定されたロープと連結している事を特徴とする請求項2記載の車いす。
【考案の詳細な説明】
【技術分野】
【０００１】
本考案は、高齢者、障害者、  医療治療中の方が使用する、車いすに関する。
【背景技術】
【０００２】
特許文献１から公知である。
車いす1は、一般に、脚並びに身体の障害から、自身の脚で、移動出来ない人に使用される。
通常、車いす1を利用して移動する場合、座っている人がハンドリム5を廻すか、介助者が後方からグリップ3を水平方向に押し引きすることより、移動する。
また、車いす1には、後方にポケットがあり、人と小物を移動するために使われ、別の作業をする事はない。
【先行技術文献】
【特許文献】
【０００３】
【特許文献１】特開2009-190716
【考案の概要】
【考案が解決しようとする課題】
【０００４】
以上のような従来の車いすには、次のような解決すべき課題があった。
（1）車いす1は移動するために使われ、座っている人及び、後方から押し引きする介助者の
人力エネルギーは、全て車いす1の移動に使われ、清掃作業に使われる事がなかった。
（2）車いす1に座り、移動する方が障害者、高齢者の場合、社会的役割を持つ事に制限があった。
【課題を解決するための手段】
【０００５】
本考案は、以上の点を解決するために、次のような構成を採用する。
〈構成1〉
車いすの座面裏側に連結具を介して清掃具を取付けた事を特徴とする車いす。
〈構成2〉
前記連結具は、長さ調整部と、第1の脱着部と、清掃部に急激な負荷が生じた場合、清掃部を切り離せる第2の脱着部とを備えた事を特徴とする請求項1記載の車いす。
〈構成3〉
前記連結具は、第2の脱着部で清掃部を連結し、その反対側で、車いすの座面裏側に、両端が固定されたロープと連結している事を特徴とする請求項2記載の車いす。
【考案の効果】
【０００６】
本考案の車いすにはつぎのような効果がある。
（1）車いすの移動と同時に床面の清掃が行える。
(2)電気掃除機利用による埃の舞い上がり並びに、電気代がかからない。
(3)従来のモップなどの清掃用具と比較した場合、準備、後片付けの時間短縮となる。
(4)清掃用具の初期購入費用の低下となる。
(5)介助者の清掃範囲及び清掃時間の縮小となる。
(6)車いすに座る人が高齢者の場合、社会的役割が持てると共に、運動することにより快眠、睡眠不足による徘徊防止、食欲増進につながる。
【図面の簡単な説明】
【０００７】
【図１】この考案の車いすの、具体例斜視図を示す。
【図２】この考案の連結部および清掃部の、斜視図を示す。
【図３】従来の車いすの斜視図を示す。本案件の車いすの具体例斜視図を示す。
【考案を実施するための形態】
【０００８】
以下、本案件を図の具体例を用いて詳細に説明する。
【実施例１】
【０００９】
以下の説明で、実施例1は、構成1と構成2と構成3に対応する。
図1に、本案件の車いすの具体例斜視図を示す。
図の車いすは、車いす1と清掃部16と連結部10とから構成される。
また、この図には、床面18が示されている。
床面18は、主に屋内で、フローリングのような、比較的表面が平らである事を示す。
車いす1は、従来の車いすである。
図2清掃面17には、脱着可能な、塵吸着紙が付いている。
以上の車いすは次のように使用する。
車いす1の座面裏側2に、連結部10を取り付ける。なお、取り付け方法は接着剤、縫製、各種の手段を含む。車いすに座る人を座らせ、座面裏側2と床面18の長さを測り、バックル13で長さ調整し、清掃部16を適宜、調整する。また、マジックテープ15(マジックテープは株式会社クラレの登録商標)で調整も可能である。座面裏側2の取り付け位置は、利用者と接触する可能性が低ければ、どこの位置でも可能とする。車いす1の移動により引きずられた清掃部16は、床面18を滑るように進み、床面18の塵や髪の毛を吸着し清掃を行う。その際、清掃面17は、かまぼこ状の曲面をもち、車いす1の移動速度に対応し、清掃面17の接触面を変え、効率よく塵や髪の毛等を吸着する。車いす1が移動中、床面18の突然の段差に引っ掛かった場合や、使用者が清掃部16を踏み付けて、車いす1が急停止しないように、軽負荷で清掃部16が外れるように、マジックテープ15を備えている。このマジックテープ15は軽負荷で外れる装置であれば、針金や糸、糊付けした紙などの、各種の手段を含む。車いす1が前後左右に移動した際、清掃部16のねじれや、絡まりを防ぐため、連結部10の上端は、ロープ11もしくは、ベルト12となっている。このロープ11とベルト12の太さ、幅、厚さ、数量には定めがない。車いす1と清掃部16を各々水洗いする場合、容易に脱着出来るように、ワンタッチコネクター14が装着されている。また、ワンタッチコネクター14は、車いす1を折りたたんだ際に、清掃部16が他の部品に干渉し、破損及び収納の妨げにならないようにも機能する。
上記の連結部10と清掃部16の取り付けは、車いす1に限らず、ショツピングカート、レストランカート、工場内のカート等の台車に取り付けられ、同様の床面清掃が行える。
安全が確保されている場合、バックル13、ワンタッチコネクター14、マジックテープ15は、装備しなくてもよい。
【符号の説明】
【００１０】
1  車いす
2  座面裏側
3  グリップ
4  タイヤ
5  ハンドリム
6  キャスターホイール
7  背面
8  ブレーキレバー
9  座面
10  連結部
11  ロープ
12  ベルト
13  バックル
14  ワンタッチコネクター
15  マジックテープ
16  清掃部
17  清掃面
【図１】
0003155518.tif 000003
【図２】
0003155518.tif 000004
【図３】
0003155518.tif 000005
(57)【要約】      （修正有）【課題】ハッカー本体の内部に圧縮スプリングを備え、鈎部を鉄材結束線の環状部に挿入し、ハッカーの握り部を掴み引っ張ることにより、鉄材結束線の締め付けを可能とする建築鉄筋用ハッカーを提供する。【解決手段】ハッカー本体１の内部に、鈎部３に連結したシャフト５を介して圧縮スプリングに接続し、鈎部を鉄材結束線の環状部に挿入し、ハッカーの本体の上部に位置する握り部を引っ張ることにより、圧縮スプリングが伸び引っ張り力が生じる。圧縮スプリングの引っ張り力により鉄材結束線を結束できる。【選択図】図１
0003155569.tif 000002
【実用新案登録請求の範囲】
【請求項１】
先端の鈎部とハッカー本体と握り部とヘッド部からなる鉄筋用ハッカーであって、鈎部とヘッド部はハッカー本体の内部でスパイラルシャフト、引っ張りコイルバネ、シャフト、圧縮スプリングで連結したことを特徴とする鉄筋用ハッカー
【考案の詳細な説明】
【技術分野】
【０００１】
本考案は、鉄筋コンクリート建築時にコンクリート内部に組み込む鉄筋構造物の相互を固定するための鉄材結束線を間単に締め付けるために用いる建築鉄筋用ハッカーに関するものである。
【背景技術】
【０００２】
マンション、ビル、橋脚のようなコンクリートで覆われた構造物の内部は強度を保つために内部に鉄筋構造物が組み込まれている。鉄筋は並列に組み込まれているのみでは、鉄筋と直角方向の荷重を受けたとき、又は水平方向に荷重を受けると鉄筋とコンクリート間に破断応力がかかることから、鉄筋と鉄筋を囲うコンクリート間に隙間が生じ強度を保てない問題がある。
【０００３】
そこで、強度を得るために、鉄筋をマトリクス状に組み立て、各鉄筋間の交錯する部分を鉄材結束線で複数回巻きつけ、鉄材結束線からなる環状部の内部に鉄筋用ハッカーの鈎部を挿入し鍵部の延長上にある握り手部で鉄筋用ハッカーの鈎部を回転させることにより鉄材結束線を締め付け鉄筋間の交錯する部分を固定している。
【０００４】
鉄筋用ハッカーの鈎部を回転させることにより鉄材結束線を締め付け鉄筋間の固定を行う作業は、鉄材結束線を締め付けるに必要な大きな力を必要とすることは物理的にあきらかなことである。
【０００５】
そこで、鈎部と握りシャフト部からなる鉄筋用ハッカーにおいて、握りシャフト部の内部ベアリング部材を組み込み鉄材結束線の締め付けを容易にする考案がなされている。しかし、この考案では動作が多少スムースに出来るようになっているが締め付けるに必要な大きな力を軽減させる効果は得られない。
【０００６】
鈎部に鎌状の突起を取り付けた鉄筋用ハッカーが考案されているが、鉄材結束線を切断する機能を持ち合わせいるに過ぎず、鉄材結束線を締め付けるに必要な力を軽減するものではない。
【０００７】
ビル、橋脚等のコンクリート工事の仕事は過酷で重労働であることは周知されており、疑う余地はないが、鉄筋コンクリート構造物の内部で組み立てられた鉄筋間の鉄材結束線の固定方法に有効な工具がこれまで提供されなかったのである。
【先行技術文献】
【特許文献】
【０００８】
【特許文献１】実用新案登録番号第３０００７３８号
【特許文献２】実用新案登録番号第３０２６７６０号
【考案の概要】
【考案が解決しようとする課題】
【０００９】
解決しようとする問題点は、鉄材結束線を締め付けるに必要な大きな力と、また手による締め付け時の回転動作の手間を必要とすることである。
【課題を解決するための手段】
【００１０】
本考案は、鉄筋用ハッカーの握りシャフト部の内部に連続したスパイラル状のガイドキー溝と鉄筋用ハッカーの握りシャフト部の先端部に巻きバネを設け、鈎部の延長シャフトにスパイラル状の凸溝を設け、握りシャフト部の内部に延長シャフトを挿入し、巻きバネの端部が延長シャフトの先端が連結されていることを特徴とする。
【考案の効果】
【００１１】
本考案の、鉄筋用ハッカーは、鉄筋用ハッカーの鈎部を鉄材結束線の環状部に引っ掛け、握りシャフト部を引っ張ることにより巻きバネが伸び、伸びたバネが元の状態に戻ろうとすることから、バネの力で鉄材結束線の鉄材結束線の環状部が締め付けられるという利点がある。
【図面の簡単な説明】
【００１２】
【図１】図１は建築鉄筋用ハッカーの全体の説明図である。
【図２】図２は建築鉄筋用ハッカーの握り部の内部構造の説明図である。
【図３】図３は建築鉄筋用ハッカーの解除握りの内部構造の説明図である。
【図４】図４はシャフトの形状の説明図である。
【図５】図５はヘッド部の内部構造の説明図である。
【図６】図６は建築鉄筋用ハッカーの内部の構造の説明図である。
【考案を実施するための形態】
【００１３】
本考案に係わる建築用ハッカーは、引っ張りコイルバネ部材１個、圧縮コイルバネ部材１個、スパイラル状シャフト部材１個、スライドシャフト解除握り部材１個、鋼球部材２個、握手部材５から構成される。
【００１４】
スパイラルシャフト１０は、スパイラル状シャフトの棒状体で、引っ張りコイルバネ１２を設けてなり、スライド解除握り４を形成してなる。
握り手部材５はバネ固定部１１の貫通する貫通孔を設けた。
【００１５】
全体を筒状にし、且つ内部の中間には、鋼球Ａ、Ｂと圧縮スプリング６が勘合される。シャフト頭部にはベヤリング２個と引っ張りスプリングが勘合するバネ固定部１１を形成したものである。
【００１６】
図２の実施例は、スパイラル状シャフトの凹部に鋼球７ａ、７ｂが挿着され引っ張りコイルバネ１２の力によって回転し、スライド解除握りを引くと鋼球７ａ、７ｂがスライド解除握り４の凹部に挿着され、スパイラルシャフト１０が伸びる。この切り替え機能は操作性向上に多いに役立つ。
【産業上の利用可能性】
【００１７】
ハッカーの先端に取付けた鈎部に鉄材結束線の環状部に引っ掛け、握りシャフト部を引っ張ることにより巻きバネが伸び、伸びたバネが元の状態に戻ろうとすることから、バネの力で鉄材結束線を容易に締め付けられるという利点があり、工事現場の鉄材の結束に適用できる。
【符号の説明】
【００１８】
１      ハッカー本体
２      ヘッド部
３      鈎部
４      スライド解除握り
５      シャフト
６      圧縮スプリング
７ａ    鋼球Ａ
７ｂ    鋼球Ｂ
８ａ    ストッパーボルトＡ
８ｂ    ストッパーボルトB
９      スナップピン
１０      スパイラルシャフト
１１      バネ固定部
１２      引っ張りコイルバネ
【図１】
0003155569.tif 000003
【図２】
0003155569.tif 000004
【図３】
0003155569.tif 000005
【図４】
0003155569.tif 000006
【図５】
0003155569.tif 000007
【図６】
0003155569.tif 000008
(57)【要約】      （修正有）【課題】発汗による不快感を防止するため、通風ポケットを設けた雨合羽を提供する。【解決手段】雨合羽１０の胸部に風穴１２を設け、これを覆うポケット１４を備える。雨合羽１０の風穴１２の背面には風穴１２が破れるのを防止するための保護網を設ける。背当てカバ−は外から雨が入らないようにする為、風穴より下へ長くする。ポケット１４は開放口１６下方のみ開放して、袋状の形態に形作る。【選択図】図１
0003155590.tif 000002
【実用新案登録請求の範囲】
【請求項１】
所要の箇所に設けられた１又は複数の風穴と、前記風穴を覆うように設けられた、背当てカバ−を備えている事を特徴とする。
【請求項２】
前記背当てカバ−の両端に段差パッキンを備えていることを特徴とする。
【請求項３】
雨が中に入らないように、前記背当てカバ−を風穴の位置より下へ長くした事を特徴とする請求項１又は２に記載のものである。
【考案の詳細な説明】
【技術の分野】
【０００１】本考案は、雨合羽を着用しての作業時に発汗による不快感を防止するために開放口を設けて、汗ムレ空気を外に排失する事に関する。
【背景技術】
【０００２】雨合羽を着用して長い時間作業をすると汗をかき、不快感を感じる事が多い。
【考案の開示】
【考案が解決しようとする課題】
【０００３】雨合羽を着用して作業をする夏には汗をかきとても不快で有り秋、寒く成っては体が冷たくなり風邪を引き安い、この為汗ムレをしたこの空気を外に排出する事が必要と成る。
【課題を解決するための手段】
【０００４】請求項１に記載の雨合羽は、空気の流れを作る事を特徴とするものである。【０００５】請求項２に記載の雨合羽は、前記請求項１の雨合羽において、空気が通りやすくするものである。【０００６】請求項３に記載の雨合羽は、前記請求項１又は２の雨合羽において空気の流れと雨が開放口から入らないようにしたものである。
【考案の効果】
【０００７】本考案により長時間作業をしても開放口より空気が流れ出るので、体が冷たく成らない、不快感が無い、通風ポケット付き雨合羽が提供される。
【考案を実施するための最良の形態】
【０００８】添付図面を参照して、本考案の好ましい実施の形態に係わる詳細説明する。
図１に於いて全体として参照符号１０で示される本考案の好ましい実施の形態に係わる雨合羽は、胸部に設ける風穴１２を備えている。雨合羽１０の胸部に風穴１２を覆うポケット１４を備えている。【０００９】雨合羽１０の風穴１２の背面には風穴１２が破れるのを防止するための保護網１８が設けられている。【００１０】背当てカバ−は外から雨が入らないようにする為、風穴より下へ長くした。【００１１】ポケット１４は開放口１６下方のみ開放して、袋状の形態に形作られている。【００１２】図１では風穴に於いてポケット１４が左右の胸部に設けられている物と示されているが、不快感を無くする為には他の箇所にも取り付け、例えば胸や肩、背面、ズボンにも設けても良い。
【図面の簡単な説明】
【００１３】
【図１】  本考案の好ましい実施形態に係る雨合羽を、様式的に示した図である。
【図２】  図１の線２−２に沿って見る断面図である。
【図３】  ポケット１４の展開図である。
【符号の説明】
【００１４】        １０            雨カッパ
１２            風  穴
１４            ポケット
１６            開放口
１８            保護網
２０            段差パッキン
２２            背当てカバ−
２４            裾縫い
【図１】
0003155590.tif 000003
【図２】
0003155590.tif 000004
【図３】
0003155590.tif 000005
【手続補正書】
【提出日】平成21年8月25日(2009.8.25)
【手続補正１】
【補正対象書類名】実用新案登録請求の範囲
【補正対象項目名】全文
【補正方法】変更
【補正の内容】
【実用新案登録請求の範囲】
【請求項１】
所要の箇所に設けられた１又は複数の風穴と、前記風穴を覆うように設けられた背当てカバーとを備えていることを特徴とする雨合羽。
【請求項２】
前記背当てカバーの両端に段差パッキンを備えていることを特徴とする請求項１に記載された雨合羽。
【請求項３】
雨が中に入らないように、前記背当てカバーを風穴の位置より下へ長くしたことを特徴とする請求項１又は２に記載された雨合羽。
【手続補正３】
【補正対象書類名】明細書
【補正対象項目名】０００４
【補正方法】変更
【補正の内容】
【０００４】  本願請求項１に記載の雨合羽は、所要の箇所に設けられた１又は複数の風穴と、前記風穴を覆うように設けられた背当てカバーとを備えていることを特徴とするものである。
【手続補正４】
【補正対象書類名】明細書
【補正対象項目名】０００５
【補正方法】変更
【補正の内容】
【０００５】  本願請求項２に記載の雨合羽は、前記請求項１の雨合羽において、前記背当てカバーの両端に段差パッキンを備えていることを特徴とするものである。
【手続補正５】
【補正対象書類名】明細書
【補正対象項目名】０００６
【補正方法】変更
【補正の内容】
【０００６】  本願請求項３に記載の雨合羽は、前記請求項１又は２の雨合羽において、雨が中に入らないように、前記背当てカバーを風穴の位置より下へ長くしたことを特徴とするものである。
(57)【要約】      （修正有）【課題】分解ができ、持ち運びが容易で、大きさの異なるポスター、チラシ等に対応できる額縁システムを提供する。【解決手段】裏面にマグネットが配置されたＬ字型ユニットの組み合わせ、又はＬ字型ユニットとＩ字型ユニットの組み合わせにより構成された額縁システムによって、様々なサイズに対応できる額縁システムが得られるため、大きさの異なるポスター、チラシ等に対応することができる。【選択図】図１
0003155503.tif 000002
【実用新案登録請求の範囲】
【請求項１】
裏面にマグネットが配置されたＬ字型ユニットの組み合わせ、又はＬ字型ユニットとＩ字型ユニットの組み合わせにより構成された額縁システム。
【請求項２】
上記Ｌ字型ユニットは、辺の長さが異なる２種類のＬ字型ユニットを含むことを特徴とする請求項１に記載の額縁システム。
【請求項３】
上記辺の長さが異なる２種類のＬ字型ユニットは、それぞれ長辺の長さが１５４ｍｍ、短辺の長さが１１０ｍｍであることを特徴とする請求項２に記載の額縁システム。
【考案の詳細な説明】
【技術分野】
【０００１】
本考案は、裏面にマグネットが配置された額縁システムに関する。
【背景技術】
【０００２】
ホワイトボードやスチール製のオフィスシェルフ、ロッカー、冷蔵庫等にポスターやチラシ等を貼る場合、裏面にマグネットが貼り付いたピンでその４隅を固定するとか、裏面にマグネットが埋め込まれた棒状の固定バーによりその上下を固定していた。
ところが従来の方法では、ポスターやチラシ等がめくれたり、剥がれるといった問題点があった。またポスターやチラシの周囲に枠がないため、一時的な掲示には差し支えないが、ある程度長期にわたり掲示しておく際や、周囲の注意を引きたいような場合には十分満足できるものではない。
【０００３】
これを改善する方法として、軽量なプラスチック素材を用いた枠の裏面にマグネットを貼り付けた額縁が提案されている（特許文献１参照）。
この額縁は長期にわたり掲示しておく際や、周囲の注意を引くような掲示には十分であるが、額縁の枠が固定されているため、持ち運びに難点がある。また大きさの異なるポスターやチラシ等にはそのままでは対応できず、新たな額縁を用意する必要があった。
【先行技術文献】
【特許文献】
【０００４】
【特許文献１】実用新案登録第３０５１４００号公報
【考案の開示】
【考案が解決しようとする課題】
【０００５】
本考案は、上記の従来技術の問題点を踏まえて、分解ができ、持ち運びが容易で、大きさの異なるポスター、チラシ等に対応できる額縁システムを提供することを課題とする。
【課題を解決するための手段】
【０００６】
上記課題は、次のような額縁システムにより解決される。
（１）裏面にマグネットが配置されたＬ字型ユニットの組み合わせ、又はＬ字型ユニットとＩ字型ユニットの組み合わせにより構成された額縁システム。
（２）上記Ｌ字型ユニットは、辺の長さが異なる２種類のＬ字型ユニットを含むことを特徴とする（１）に記載の額縁システム。
（３）上記辺の長さが異なる２種類のＬ字型ユニットは、それぞれ長辺の長さが１５４ｍｍ、短辺の長さが１１０ｍｍであることを特徴とする（２）に記載の額縁システム。
【考案の効果】
【０００７】
本考案によれば、Ｌ字型ユニットと長さの異なるＩ字型ユニットの組み合わせにより、様々なサイズに対応できる額縁システムが得られるため、大きさの異なるポスター、チラシ等に対応することができる。
【図面の簡単な説明】
【０００８】
【図１】本考案に係る額縁システムの概略図である。
【図２】図１に示す額縁システムの部品であるＬ字型ユニットとＩ字型ユニットの一例である。
【図３】本考案に係る額縁システムの実施例を示す図面である。
【図４】図３に示す全ての額縁システムの一つを構成することができるＬ字型ユニットとＩ字型ユニットの一例である。
【考案を実施するための形態】
【０００９】
図１は、本考案に係る額縁システムの概略図である。
図１に示す額縁システムは、裏面にマグネットが配置された２種類のＬ字型ユニット２個ずつと裏面にマグネットが配置された長さの異なる２種類のＩ字型ユニット２個ずつの組み合わせから構成されている。掲示されるポスターやチラシ等の外形を図１中に点線で示す。
【００１０】
図１に示す額縁システムを構成する全ての部品を、図２に示す。２種類のＬ字型ユニット２個ずつと長さの異なる２種類のＩ字型ユニット２個ずつが必要である。
各ユニットは、例えば軽量なプラスチック素材で形成されており、裏面には棒状のマグネットが埋め込まれている。なお棒状のマグネットの埋め込みに代えて、小型の強力マグネットや、薄い磁性シート等を裏面に貼り付けてもよい。
【００１１】
本考案に係る額縁システムを、Ａ４、Ｂ４、Ａ３及びＢ３のポスター、チラシ等に適用した実施例を図３に示す。掲示されるポスターやチラシ等の外形を図３中に点線で示す。
図３に示すＡ４、Ｂ４、Ａ３及びＢ３の額縁システムのいずれか１つを構成するために必要な部品の種類及び数量を図４に示す。
【００１２】
本実施例における必要な部品は、次のとおりである（図４参照）。
（１）辺の長さが異なる２種類のＬ字型ユニットそれぞれ２個（それぞれ長辺の長さ１５４ｍｍ、短辺の長さ１１０ｍｍ）
（２）長さが長、中、短と異なる３種類のＩ字型ユニットのうち長（長さ２１０ｍｍ）、中（長さ６７ｍｍ）それぞれ２個、短（長さ４７ｍｍ）４個
なお各部品の幅は１５ｍｍである。
【００１３】
図３には、上記各部品を組み合わせた額縁システムの配置も図示されている。図３によればＡ４の額縁システムは、辺の長さが異なる２種類のＬ字型ユニットそれぞれ２個を組み合わせることにより構成可能であることが分かる。またＡ３の額縁システムは、辺の長さが異なる２種類のＬ字型ユニットそれぞれ２個と長いＩ字型ユニット２個の組み合わせにより、構成可能であり、Ｂ３の額縁システムは、図４に示す全ての部品の組み合わせにより構成可能となる。
したがって本実施例では、図４に示す汎用の部品を用意することにより、Ａ４〜Ｂ３までの額縁システムが構成可能である。
【００１４】
以上額縁システムについて好ましい実施の形態を説明したが、本考案はこれらの例に限定されるものではなく、本考案の要旨を逸脱しない範囲内において適宜の変更が可能である。
例えば図３に示す実施例では、辺の長さが異なる２種類のＬ字型ユニットを採用したが、辺の長さが等しいＬ字型ユニットを採用することもできる。この場合には、Ｉ字型ユニットに加えて、辺の長さが等しい１種類のＬ字型ユニットを４個用意すればよいので、必要とする部品の種類を簡略化することができる。
【図１】
0003155503.tif 000003
【図２】
0003155503.tif 000004
【図３】
0003155503.tif 000005
【図４】
0003155503.tif 000006
(57)【要約】【課題】足踏板上に起立させた杖機能を付設して、身障者でも自力で使用できるようにした杖付足裏刺激健康器の提供。【解決手段】中央に向けて漸次上向きとした円形，角状から成る足踏板上に、小突起，線状，波形などの刺激部を突設すると共に、前記足踏板に基端を着脱自在の杖３を起立可能とし、かつ前記杖３の上端に両手の把持部４を設け、さらに上部を屈曲させて成ることを特徴とする杖付足裏刺激健康器。【選択図】図１
0003155533.tif 000002
【実用新案登録請求の範囲】
【請求項１】
中央に向けて漸次上向きとした円形，角状から成る足踏板上に、小突起，線状，波形などの刺激部を突設すると共に、前記足踏板に基端を着脱自在の杖を起立可能とし、かつ前記杖の上端に両手の把持部を設け、さらに上部を屈曲させて成ることを特徴とする杖付足裏刺激健康器。
【考案の詳細な説明】
【技術分野】
【０００１】
この考案は、健常者は勿論のこと、特に身障者用の好適な杖付足裏刺激健康器に関する。
【背景技術】
【０００２】
一般に、人間は足裏に身体各部に通ずるツボが集まっており、不健康になったり、疲労が溜まった人の治療とか健常者の健康維持のため、足裏のツボを刺激できる種々の足裏用の指圧具が知られている（例えば、特許文献１，２参照）。
【先行技術文献】
【特許文献】
【０００３】
【特許文献１】特願平７−２５０８８０号公報
【特許文献２】特開２００１−３０９９６１号公報
【考案の概要】
【考案が解決しようとする課題】
【０００４】
上記先行技術文献である特許文献１および２は、いずれも足踏板上に多数の小突起を設けてあり、使用者が小突起に足裏のツボに当るように足裏を乗せて自重を掛けてツボに刺激を加えるようにした構成を備えている。
【０００５】
したがって、使用者は自力で足踏上に乗らなければならないので、病弱者や身障者では使用できないという不都合があった。
【０００６】
本考案は叙上の点に着目して成されたもので、足踏板上に起立させた杖機能を付設して、身障者でも自力で使用できるようにした杖付足裏刺激健康器を提供することを目的とするものである。
【０００７】
さらに本考案は、杖自体は着脱可能として、持運び運搬に便利な杖付足裏刺激健康器を提供するものである。
【課題を解決するための手段】
【０００８】
本考案は、以下の構成を備えることにより上記課題を解決できるものである。
【０００９】
（１）中央に向けて漸次上向きとした円形，角状から成る足踏板上に、小突起，線状，波形などの刺激部を突設すると共に、前記足踏板に基端を着脱自在の杖を起立可能とし、かつ前記杖の上端に両手の把持部を設け、さらに上部を屈曲させて成ることを特徴とする杖付足裏刺激健康器。
【考案の効果】
【００１０】
本考案によれば、脳障害などで起立歩行困難な障害者或いは病弱者などに対しては、杖状の把持部を自らの手で把持し、足裏を足踏板上の刺激部に当接させることにより、歩行の神経や脳や弱った内臓器官への血行を促し、身体機能を改善させることができる。
【００１１】
使用者は使用時、常に杖を把持しているので、一人でも安心して使用できると共に、杖の上端の把持部を両手で把持し、身体を安定した状態に保持させて、片足づつ上下させて足踏運動できるので、身体の故障箇所の改善に著しく貢献できる。
【００１２】
併せて健常者も亦、杖を取外して同様に健康維持具として広く利用できる。
【図面の簡単な説明】
【００１３】
【図１】全体の側面図で一線鎖線は使用者の使用状態を示す。
【図２】正面図
【図３】足踏板の一例の平面図
【考案を実施するための形態】
【００１４】
以下本考案を実施するための最良の形態を、実施例により詳しく説明する。
【実施例】
【００１５】
本考案の一実施例を図面と共に説明する。
【００１６】
１は足踏板で、木製又は硬質合成樹脂で中央に向けて漸次高くした山形に形成され、図３（ａ），（ｂ）に示すように円形又は角状に形成できる。２は、前記足踏板１上に突設した小突起，線状，波状などの刺激部、３はスチールパイプ状の杖で、基部３ａはネジ構造として足踏板１の中央箇所に螺合固着すると共に、上部は緩やかに屈曲αさせて使用者Ｂが両手で把持できて使用しやすいように足踏板１との重力のバランスをうまく配分させてある。４は杖３の上端に設けた左右の把持部を示す。
【００１７】
叙上の構成において、身障者などの使用者Ｂは、使用する前に全体を床上に確実に固定して置き、杖３の把持部４を両手で把握して両足の足踏板１上に載せる。
【００１８】
即ち、足裏のツボは足踏板１の刺激部２に当接し、ツボは自重により強く押し付けられ、所謂、指圧効果を受けることとなる。交互に両足の足踏み作用を行えば、より多くのツボが刺激され、指圧効果が高められて身体各部の機能障害を改善できる。
【符号の説明】
【００１９】
１    足踏板
２    刺激部
３    杖
３ａ  基部
４    把持部
α    屈曲
Ｂ    使用者
【図１】
0003155533.tif 000003
【図２】
0003155533.tif 000004
【図３】
0003155533.tif 000005
(57)【要約】      （修正有）【課題】タンクの大型化が可能で、タンクヤードの広い石油会社や化学会社等は、省スペースや低コスト、安全性にもメリット大であるタンクを提供する。【解決手段】液体タンクの形状を地面から掘り下げてその土砂を地面から角度４５度以下の傾斜でタンクの外周の最高の位置まで土盛りするが、この土砂の重量でタンクの耐圧力は安全なものとなり形状も容量も問わない。【選択図】図−１
0003155231.tif 000002
【実用新案登録請求の範囲】
【請求項１】
液体タンクの形状を地面から掘り下げてその土砂を地面から角度４５度以下の傾斜でタンクの外周の最高の位置まで土盛りするが、この土砂の重量でタンクの耐圧力は安全なものとなり形状も容量も問わないスペース有効タンク。
【考案の詳細な説明】
【技術分野】
【０００１】本発明は、液体タンクの形状や容量的なレベルを超越した技術から成るものでタンクの形状に合わせ地面の堀り込みを行ない、タンクの外周に掘り込んだ土を盛る
これにより形状や容量も自由自在である。
【技術背景】
【０００２】従来の技術では、タンクは大型は、圧力分散の確かな丸型と決まっていたが、大型化にも限界がありスペース的にもコスト的にも懸念される部分も多かった。
【考案の概要】
【考案が解決しようとする課題】［安全性の向上、コストの低下、スペースの有効利用、同一液体ならタンク１基にする。］
【課題を解決するための手段】［本発明のスペース有効タンクを設置する］
図−１参照
【考案の効果】［スペース有効タンクを利用することによりタンクの大型化、タンクヤードの広い石油会社や化学会社等は、省スペースや低コスト、安全性にもメリット大である］
【図面の簡単な説明】［スペース有効タンクとそのまわりの断面図である］【図−１】スペース有効タンクの横から見た断面図である。
【考案を実施するための形態】
［本発明スペース有効タンクに変更する］
図−１参照
【産業上の利用可能性】［安全性の向上、省スペース化、低コストが見込まれ利用可能性は高い。］
【図−１】
0003155231.tif 000003
(57)【要約】      （修正有）【課題】合成樹脂、またはこれに類するフィルム等で作られる簡易収納袋（レジ袋またはポリ袋）の物品収納後の収納口の開閉作業等を簡素化できる簡易収納袋を提供する。【解決手段】収納口に設ける一対の手提げ長さに長短を持たせ、物品収納後の収納袋１の持ち上げには、短い手提げ部４ｂと交差さした他方の長い手提げの先端部４ａのみ保持し持ち上げ、交差する長短の手提げ部４ａ，４ｂにより収納口を狭め収納品の逸脱を防止できる様に構成する。【選択図】図１
0003155235.tif 000002
【実用新案登録請求の範囲】
【請求項１】
物品収納のための開口部と、その開口部に一対の手提げ部を備えた簡易収納袋において、その手提げ部長さに各々長短を持たせ、簡易収納袋持ち上げ時には、短い手提げ部と交差さした長い手提げ部を保持し持ち上げ、同時に交差した長短の手提げ部によりその開口部を狭め、収納品の逸脱を防止することを特徴とする簡易収納袋。
【考案の詳細な説明】
【技術分野】
【０００１】  本考案は、合成樹脂またはこれに類するフィルム、シート等で作られ、物品収納のための開口部に一対の手提げ部を設けた、一般的には、スーパマーケットやコンビニ等でレジ袋またはポリ袋とし広く用いられている簡易収納袋（以下収納袋と称する。）に関するものである。
【背景技術】
【０００２】  以下図３により説明する。従来の一般的な収納袋１は、その上下に各々開口部２と底部シール部３を有し、開口部２には物品の収納を邪魔せず容易に持ち運びができるようその対称位置に、一対のアーチ状の手提げ部４ａ、４ｂを設ける。更にその中間対称位置に突出部５ａ、５ｂをそれぞれ設け、収納袋利用時には、必要に応じてその部分等を利用し密着している開口部２を開き物品を収納する。物品収納後は、手提げ部４ａ、４ｂ、または、突出部５ａ、５ｂをそれぞれ互いに結わえたり、特殊な方法で開口部２を閉じる作業を行い、収納袋の持ち運び時収納物が脱落することを防止する。収納品取り出しの場合には、一旦閉じられた開口部を再び必要な作業で開放した後、収納品を取り出す。
【特許文献１】特許公開２００７−２３８１３６
【特許文献２】登録実用新案３１１０１４２
【発明が解決しようとする課題】
【０００３】  従来の収納袋は、物品収納後に収納袋手提げ部、あるいは、あらかじめ設けられた袋の突出部や穴等を用いて開口部を閉じる作業を行い、持ち運び時の収納品の脱落を防止するが、そのため収納品の取り出し時には、一旦閉じた開口部を再び開くための煩わしい作業が必要となり、これはシンプルな構造で取り扱いが簡便なること目的とする収納袋にはマイナスの要素となっている。
【課題を解決するための手段】
【０００４】  収納袋の開口部に設けられる一対の手提げの内１個の手提げ部の長さを短くする。物品収納後の収納袋の持ち運び時には、長い方の手提げ先端部を一旦他方の短い手提げ部のアーチ内を通し交差さした後、その突き出し部を手持ちし収納袋を持ち上げる。
【０００５】  その際他方の短い手提げ部は、長い手提げ部と交差した逆Ｙ字型の状態で、長い手提げ部を介して収納袋を持ち上げる。さらに短い手提げ部は、収納袋が持ち上がるにしたがい収納物の重量の効果で長い手提げの根元部にずれてゆき、自動的に開口部は全体的にすぼめられ、最終的には、交差する長短一対の手提げ部により開口部は覆われ閉じられる。持ち上げ時の開口部をより強く閉ざすために、長い手提げ部を再度短い手提げ部のアーチ内を通し持ち上げてもよい。
【０００６】  また、持ち上げたこの収納袋は下に降ろし、緩んだ長い手提げ部を他方の短い手提げ部より引き抜き元に戻し、閉じられた開口部を開放し物品を取り出す。
【考案の効果】
【０００７】  本考案によれば、物品収納後開口部の開閉のための煩雑な作業や、その為に必要とする補足的な部材が必要でなくなる。また、収納袋にも損傷を与えないので収納袋の再使用が可能となる。
【０００８】    さらに、従来の収納袋の持ち上げ時には、袋のバランス上一対の手提げを同時に保持しなくてはならなかったが、本考案による収納袋では一個の手提げ部を持ち上げるだけでその取り扱いがより便利となる。
【考案を実施するための最良の形態】
【０００９】  本考案の実施による収納袋の斜視図１、図２を用いて説明する。【００１０】  図１に於いて収納袋１は、上部に開口部２、シールされた底部３、開口部２には長短一対のアーチ状の手提げ部４ａ、４ｂを対称位置に設ける。長い手提げ部４ａは、収納袋の持ち運び用とするため、従来の収納袋と同じくそのアーチ長さは手の差し入れができる長さ（約１０ｃｍ以上）を持つ。他方の短い手提げ部４ｂは、長い手提げ部４ａを介して収納袋を持ち上げ収納袋のバランスを保ち、さらに、開口部を狭め閉じる働きをもたせる。そのためその長さは、長い手提げ４ａと同じく収納袋の大きさ形態にも左右されるが、大よそ５ｃｍ程度とする。中央部の突起５ａ、５ｂまたはそれに類する工夫は、収納袋を最初に用いる際開口部が密着し開口しにくい場合に用いるもので必要に応じて設けられる。【００１１】  図２で本考案による収納袋を持ち上げる方法を示す。先ず長い手提げ４ａの先端部を短い手提げ部４ｂのアーチ内を通した後、長い手提げ４ａの先端部アーチ内に手を差し込み収納袋を保持し持ち上げる。
【図面の簡単な説明】
【００１２】
【図１】  実施形態を示す収納袋の斜視図
【図２】  実施形態を示す収納袋で、物品収納後持ち上げ時の状態を示す斜視図
【図３】  従来の収納袋の斜視図
【符号の説明】
【００１３】  １  収納袋
２  開口部
３  底部シール
４ａ、４ｂ  手提げ部
５ａ、５ｂ  突き出し部
【図１】
0003155235.tif 000003
【図２】
0003155235.tif 000004
【図３】
0003155235.tif 000005